(57)【要約】 【課題】  カードコネクタを厚さの薄い小型のものとする。【解決手段】  コンタクト４と、コンタクト４を保持する絶縁性のハウジング２と、ハウジング２に配置される、カードの押圧操作によりカードの挿抜方向に沿って駆動されるプッシュ/プッシュ型式のカム機構部１８とを備えたカードコネクタ１において、カム機構部１８は、ハウジング２に挿入されるカードを係止するロックばね片４０およびカム溝３８を備えたスライダ２６を有し、ハウジング２は、ハウジング２に揺動可能に配置されると共にカム溝３８に係入してスライダ２６をカードの押圧操作に応じて位置決めする位置決め部材２８を有し、スライダ２６はカードと略同じ面内に位置し、ロックばね片４０は、カム溝３８に隣接して位置決め部材２８を案内するように配置される。【選択図】          図４
2006196285.tif 000002
【特許請求の範囲】
【請求項１】
コンタクトと、該コンタクトを保持する絶縁性のハウジングと、該ハウジングに配置される、カードの押圧操作により該カードの挿抜方向に沿って駆動されるプッシュ/プッシュ型式のカム機構部とを備えたカードコネクタにおいて、
前記カム機構部は、前記ハウジングに挿入されるカードを係止するロックばね片およびカム溝を備えたスライダを有し、前記ハウジングは、該ハウジングに揺動可能に配置されると共に前記カム溝に係入して前記スライダを前記カードの押圧操作に応じて位置決めする位置決め部材を有し、
前記スライダは前記カードと略同じ面内に位置し、前記ロックばね片は、前記カム溝に隣接して前記位置決め部材を案内するように配置されていることを特徴とするカードコネクタ。
【請求項２】
前記ロックばね片は板状であり、自由端部に前記カードを係止するロック突起を有し、固定端部が前記スライダに固定されており、前記ロックばね片の板面が前記カム溝の一部に臨んでいることを特徴とする請求項１記載のカードコネクタ。
【請求項３】
前記ハウジングおよび前記カム機構部を略覆うシェルをさらに備え、該シェルは、前記カム機構部に対応する前記シェルの主面に前記カードの挿抜方向に延びるスロットを有し、前記ロックばね片は、前記スライダが前記ハウジング内に押しこまれた前記カードの使用位置で前記スロットに係合して前記自由端部の移動を規制する係止突片を有することを特徴とする請求項２記載のカードコネクタ。
【発明の詳細な説明】
【技術分野】
【０００１】
本発明はカードコネクタに関し、特にカードの押圧操作により、カードを使用状態に保持し、或いは排出位置に保持することができるプッシュ/プッシュ型式のカム機構部を有するカードコネクタに関するものである。
【背景技術】
【０００２】
従来、カードコネクタとして、パーソナルコンピュータやデジタルカメラ等の用途に、種々の形式のカードコネクタが知られている。その一例として、端子を有する絶縁ハウジングと、この絶縁ハウジングに組みつけられる、頂板と頂板の両側縁から垂下した一対の側板とによってカード受入空洞が形成されたメタルシェルを備え、カード受入空洞の一側縁下部に沿って、ハートカム溝を有するカムスライダが設けられたカード用コネクタが知られている（特許文献１）。
【０００３】
また、他の従来技術として、一端部にハートカム溝部が設けられたコンタクトブロックと、コネクタ本体内を前後方向に移動するスライダと、ハートカム溝部のガイド溝に係入する、ロック片を有するロック金具とを備えたメモリカード用コネクタ装置が知られている（特許文献２）。
【０００４】
さらに他の従来技術として、コンタクトを保持し、且つハート型カム溝が形成されたハウジングと、このハウジングにカードの挿抜方向に沿って摺動するように配置されたスライダを有するカード用コネクタが知られている（特許文献３）。
【特許文献１】特開２００４−３２７１４９号公報（図１、図１４）
【特許文献２】特開２００４−２０７１６８号公報（図１）
【特許文献３】特開２００１−２９１５５３号公報（図６、図８、図１１）
【発明の開示】
【発明が解決しようとする課題】
【０００５】
近年、カードコネクタの用途として、上記の用途の他に携帯電話用として、ダウンロードした音楽を録音したり、携帯電話本体に内蔵されたカメラで撮影した画像を記録するためのカードを着脱可能なカードコネクタが要望されている。しかし、携帯電話には、多数の電気/電子部品が実装されているので、その中にカードコネクタを内蔵するためにはカードコネクタを極めて小型で薄型とする必要がある。前述の特許文献１にあっては、ハートカム溝はカムスライダの、カードの主面と直交する面に設けられている。同様に特許文献２においても、ハートカム溝部はコンタクトブロック（ハウジング）の、カードの主面と直交する面に形成されている。これらのハートカム溝およびハートカム溝部は、環状になっているためある程度の幅が必要である。従って、これらのコネクタでは、コネクタの幅方向、即ちカードの幅方向の寸法は狭幅にできるが、高さ方向（厚み）の寸法が大きくなってしまうという問題がある。
【０００６】
また、特許文献３においては、カードの主面と平行なハウジングの面（スライダ装着部）にハート型のカム溝が形成され、そのハウジングの上をスライダが摺動するように構成されている。このカム溝は、コネクタの幅方向の寸法を小さくするようなカム溝の形状に形成されている。しかし、カム溝を形成するのにハウジングのスライダ装着部にある程度の厚みが必要であリ、且つスライダの厚みがそれに加えられるので、全体としてある程度のコネクタの厚みが必要となる。
【０００７】
本発明は、上記事情に鑑みてなされたものであり、厚さの薄い小型のカードコネクタを提供することを目的とする。
【課題を解決するための手段】
【０００８】
本発明のカードコネクタは、コンタクトと、コンタクトを保持する絶縁性のハウジングと、ハウジングに配置される、カードの押圧操作によりカードの挿抜方向に沿って駆動されるプッシュ/プッシュ型式のカム機構部とを備えたカードコネクタにおいて、カム機構部は、ハウジングに挿入されるカードを係止するロックばね片およびカム溝を備えたスライダを有し、ハウジングは、ハウジングに揺動可能に配置されると共にカム溝に係入してスライダをカードの押圧操作に応じて位置決めする位置決め部材を有し、スライダはカードと略同じ面内に位置し、ロックばね片は、カム溝に隣接して位置決め部材を案内するように配置されていることを特徴とするものである。
【０００９】
本発明の一実施態様として、ロックばね片は板状であり、自由端部にカードを係止するロック突起を有し、固定端部がスライダに固定されており、ロックばね片の板面がカム溝の一部に臨んでいるように構成することができる。
【００１０】
ハウジングおよびカム機構部を略覆うシェルをさらに備え、シェルは、カム機構部に対応するシェルの主面にカードの挿抜方向に延びるスロットを有し、ロックばね片は、スライダがハウジング内に押しこまれたカードの使用位置でスロットに係合して自由端部の移動を規制する係止突片を有するよう構成することができる。
【００１１】
カム溝は、ハート形であり、ロックばね片の板面は、このハート形カム溝の、カードの挿抜方向に対し角度を有する部分に沿って配置されることが好ましい。
【発明の効果】
【００１２】
本発明の電気コネクタによれば、プッシュ/プッシュ型式のカム機構部は、カードを係止するロックばね片およびカム溝を備えたスライダと、スライダを前記カードの押圧操作に応じて位置決めする位置決め部材とを有しており、スライダはカードと略同じ面内に位置し、ロックばね片は、カム溝に隣接して位置決め部材を案内するように配置されているので、カム機構部を狭幅にできるとともに、カードと同じ面内にあるスライダ自体にカム溝を設けているので、厚さの薄い小型のカードコネクタとすることができる。
【００１３】
また、ロックばね片が板状であり、自由端部にカードを係止するロック突起を有し、固定端部がスライダに固定されており、ロックばね片の板面がカム溝の一部に臨んでいるように構成されている場合は、カム溝の深さを小さくしても位置決め部材が適切にカム溝内を移動できるので、スライダの厚みの寸法をさらに低減することができ、一層薄型のカードコネクタとすることができる。
【００１４】
ハウジングおよびカム機構部を略覆うシェルをさらに備え、シェルが、カム機構部に対応するシェルの主面にカードの挿抜方向に延びるスロットを有し、ロックばね片が、スライダがハウジング内に押しこまれたカードの使用位置でスロットに係合して自由端部の移動を規制する係止突片を有するように構成されている場合は、ロックばね片はカードの使用状態において変移することが阻止されるので、カードはその使用状態において確実にカードコネクタに保持される。
【発明を実施するための最良の形態】
【００１５】
以下、本発明の一例を示すカードコネクタの好ましい実施の形態について添付図面を参照して詳細に説明する。図１から図３は、カードコネクタ１を示し、図１（ａ）は平面図、図１（ｂ）は正面図である。また、図２（ａ）は背面図、図２（ｂ）は底面図、図３（ａ）は右側面図、図３（ｂ）は左側面図を夫々示す。カードコネクタ１は、絶縁性のハウジング２、このハウジング２に保持されたコンタクト４およびハウジング２の上面６および側面８ａ、８ｂを覆う金属製のシェル１０を有する。
【００１６】
最初に、ハウジング２の形状について図４を併せて参照して説明する。図４は、シェル１０を取り外した状態のハウジング２の平面図である。ハウジング２は、平面形状が略矩形であり．側壁９ａ、９ｂ、後壁１６、底壁２０および側壁９ａ側にカム機構部１８を有する。これら側壁９ｂ、後壁１６、底壁２０およびカム機構部１８により囲まれた部分がカード受容部５４（図１、図４）となる。ハウジング２は、カード挿入口１２（図１）側に矩形の切欠１４を有する。右側のカム機構部１８は、比較的幅広であり、左側の側壁９ｂは図４に示すように狭幅である。切欠１４は、側壁９ｂとカム機構部１８との間に、前方に開放するように形成されている。なお、ここで前方とはカード１００（図１１、図１２）を挿入する側を、左右とは図１或いは図４に示すようにカードコネクタの平面図における左右をそれぞれいうものとする。底壁２０の内面即ち底面には、切欠１４から後方に延びる複数のコンタクト挿入溝２２が形成されている。これら複数のコンタクト挿入溝２２は、カード１００の挿入方向１０１（図４）に沿って平行に形成されている。各コンタクト挿入溝２２には、１個のコンタクト４が取り付けられている。また、ハウジング２の後端２ａ(図４)には２つの切欠６６が形成されている。
【００１７】
このように構成されたハウジング２に装着されるシェル１０は、１枚の金属板から打抜きおよび折曲げにより形成されている。シェル１０は、ハウジング２の側壁９ａ、９ｂをそれぞれ略覆う側壁１０ａ、１０ｂと、ハウジング２の切欠６６の部分で折り曲げられる取付片６４を有する。この取付片６４は、カードコネクタ１を基板１５０(図２（ａ）)に取り付ける際に基板１５０にはんだ付けされる。シェル１０の側壁１０ａ、１０ｂには、図３に示すようにＬ字状の切欠６８ａ、６８ｂおよび６８ｃ、６８ｄがそれぞれ形成されている。また、ハウジング２の側面８ａ、８ｂには、シェル１０の切欠６８ａ、６８ｂ、６８ｃ、６８ｄに対応して突起７０ａ、７０ｂ、７０ｃ、７０ｄが形成されている。なお切欠６８ａ、６８ｂ、６８ｃ、６８ｄおよび突起７０ａ、７０ｂ、７０ｃ、７０ｄをそれぞれ総括して切欠６８、突起７０という。これらの突起７０と切欠６８は互いに係合して、シェル１０の上方への移動および後方への移動を阻止している。また、図３（ｂ）に示すようにシェル１０の側壁１０ｂの後端１０ｃには、後方に開放する切欠６８ｅが形成され、対応するハウジング２の突起７０ｅと係合してシェル１０の後方への抜止めとなっている。
【００１８】
また、シェル１０には、図１（ａ）に示すようにカム機構部１８に対応する位置に、開口７２が形成されている。開口７２には、開口７２の前縁から後方に延び、且つシェル１０の内側(図１（ａ）では紙面の裏側)に偏倚した弾性舌片７４が形成されている。また、開口７２に連続して後方に延びるスロット５６が形成されている。これらの弾性舌片７４およびスロット５６は、カム機構部１８と協働するようになっているが、詳細は後述する。
【００１９】
ここで、図５を併せて参照してコンタクト４のハウジング２への取付状態について説明する。図５は、図１（ａ）の５−５線に沿う部分断面図である。各コンタクト挿入溝２２には、コンタクト４の圧入部４ｃが圧入されてコンタクト４がハウジング２に固定されている。各コンタクト４は、弾性を有する接触片４ａが、ハウジング２の後部に位置し、基板１５０(図２（ａ）)にはんだ付けされるタイン４ｂが切欠１４に突出している。接触片４ａは、カード受容部５４内に変移して位置している。図５では、前述の弾性舌片７４が、シェル１０の内側に偏倚しているのが明瞭に示されている。
【００２０】
次に、カム機構部１８について図６、図７および図８を併せて参照して説明する。図６および図７はスライダ２６を示し、図６（ａ）は左側面図、図６（ｂ）は平面図、図６（ｃ）は右側面図、図７（ａ）は正面図、図７（ｂ）は背面図、図７（ｃ）は底面図をそれぞれ示す。図８は、図６（ｂ）の８−８線に沿う部分断面図である。カム機構部１８は、図４に示すように、ハウジング２に形成された前後方向に延びる幅広の溝２４内に前後方向に摺動するスライダ２６を有する。ハウジング２の前端部には、底壁２０と直交方向に形成された穴３０内に、両端部が平行に折り曲げられた金属製のロッド（位置決め部材）２８の一端２８ａが揺動可能に挿入されている。このロッド２８は、前述のシェル１０の弾性舌片７４により穴３０に向けて押圧されて、穴３０からロッド２８が抜け出ることが防止される。ハウジング２の溝２４の後部には、前後方向に延びる開口３２が形成されている。この開口３２の後端には前向きの柱状突起３２ａが形成されている。これらの柱状突起３２ａ、３４ａの間には圧縮コイルばね３６が圧縮状態で配置され、常時、スライダ２６を前方即ちカード１００を排出する方向にばね付勢している。他方、スライダ２６には、開口３２と位置合わせして後ろ向きの開口３４が形成されている。この開口３４の前端には後ろ向きの他の柱状突起３４ａが形成されている。
【００２１】
スライダ２６は、側面３７ａ、３７ｂを有し、これらの側面３７ａ、３７ｂが前述のハウジング２の溝２４と摺接して、スライダ２６が溝２４内を前後に移動するようになっている。また、スライダ２６の後部下面には、ハウジング２の開口３２内を摺動する矩形の凸部３５が突設されており、スライダ２６が安定的に摺動するようになっている。
【００２２】
スライダ２６には、溝２４を構成するハウジング２の側壁９ａ(図４)と開口３４との間に環状のカム溝３８を有する。このカム溝３８の詳細については後述する。前述のロッド２８の他端２８ｂは、カム溝３８に配置され、スライダ２６の前後方向の移動に伴ってこのカム溝３８内を移動するようになっている。即ち、他端２８ｂは、カム従動子(カムフォロワ)として機能する。また。カム溝３８と開口３４との間には、カム溝３８に沿い且つ隣接してロックばね片４０が配置されている。図６および図７ではロックばね片４０は省略されている。
【００２３】
このロックばね片４０について、図９を併せて参照して詳細に説明する。図９は、ロックばね片４０を示し、図９（ａ）は平面図、図９（ｂ）は側面図をそれぞれ示す。板状のロックばね片４０は、後部４０ａと前部(自由端部)４０ｂおよびこれらを連結する過渡部４０ｃを一体に有する。後部４０ａと前部４０ｂは水平方向にずれているが、平面視で互いに平行な直線状である。ロックばね片４０の前部４０ｂにはロックばね片４０の板材を内側に折り曲げて膨出させたロック突起４２が形成されている。後部（固定端部）４０ａにはハウジング２に圧入される１対の舌片５０、５０が下方に突設されている。他方、前部４０ｂの過渡部４０ｃ近傍には係止突片５２が上方に突設されている。この係止突片５２は、ロックばね片４０がスライダ２６に取り付けられると、前述のシェル１０の開口７２内の左端に位置する（図１）。
【００２４】
このロックばね片４０は、後部４０ａがスライダ２６の固定穴４８(図６（ｂ）)に固定され、前部４０ｂが自由端部となっている(図４)。前部４０ｂの内向きのロック突起４２は、挿入されたカード１００(図１１、図１２)を係止するためのものである。このロックばね片４０が、このように固定されると、前部４０ｂおよび過渡部４０ｃが、カム溝３８に沿い且つカム溝３８に臨んで位置する。そして、カム溝３８内を移動するロッド２８の他端２８ｂがカム溝３８から逸脱しないようにガイドする機能を有する。換言すると、ロックばね片４０でカム溝３８の壁の一部を構成している。即ち、ロックばね片４０がカム溝３８の一部に臨むように構成されている。従って、カム溝３８は浅く形成することができ、そのぶんスライダ２６も薄くすることができる。スライダ２６の内側面は、挿入されるカードの外形形状に沿って傾斜面４４と前向きの当接面４６が、前後方向に離隔して形成されている。傾斜面４４はスライダ２６の前端部寄りに形成され、当接面４６はスライダ２６の後端部に形成されている、挿入されたカードはこの当接面４６に当接して、スライダ２６を後方に付勢して移動させる。このように構成されたスライダ２６がカード１００により押圧されると、スライダ２６は圧縮コイルばね３６を圧縮しながら、ロックばね片４０およびカム溝３８と共に後方に移動する。この態様の詳細については後述する。
【００２５】
次に、カム溝３８について図１０を参照して説明する。図１０はカム溝３８を示し、図１０(ａ)はカム溝３８の平面図、図１０（ｂ）はカム溝３８の断面の展開図である。カム溝３８は概略細長いハート形を呈している。このカム溝３８には、前述のロッド２８の他端２８ｂが位置し、且つ時計回りに移動する。そのためカム溝３８には逆回り防止のための段差が複数設けられている。以下、この段差を有するカム溝３８の底面の形状について説明する。
【００２６】
カム溝３８は、最も後部に位置し且つ最も低い(深い)直線状の部分３８ａ、この部分３８ａから上昇する斜面３８ｂ、斜面３８ｂの頂部に連続する平坦な部分３８ｃを有する。これらの部分３８ａ、３８ｂ、３８ｃは同じ直線上にある。カム溝３８は、さらに部分３８ｃから内方に位置ずれするとともに、部分３８ｃから段差により低くなった部分３８ｄに連続する。部分３８ｄは、カム溝３８の最前部に位置するとともに部分３８ａと平行に前後方向に延びている。さらに、部分３８ｄの後端部から段差を経て低くなった平坦な部分３８ｅに連続している。カム溝３８は、さらに部分３８ｅから上昇する傾斜面３８ｆを経て短い平坦な部分３８ｇに連続している。部分３８ｇは、部分３８ｅより僅かに高くなっている。カム溝３８は、部分３８ｇからは段差を経て低い平坦な部分３８ｈへと連続している。部分３８ｈは、部分３８ｅと同じ高さである。部分３８ｈからは、上昇する傾斜面３８ｉを経て平坦な部分３８ｊへと連続する。部分３８ｊからは段差を経て前述の低い部分３８ａに復帰する。
【００２７】
このように、カム溝３８は、時計回りにロッド２８の他端２８ｂが高い部分から低い部分へ連続し、低い部分から高い部分へは傾斜面を経て連続するようになっている。従って、ロッド２８の他端２８ｂは、時計回りにのみ移動可能であり、反時計回りに移動しようとするとカム溝３８の段差により移動を阻止されるので、反時計回りへの移動はできないように構成されている。また、カム溝３８の部分３８ｈ、３８ｉは、図４に示すようにロックばね片４０の前部４０ｂおよび過渡部４０ｃにより案内されるようになっている。
【００２８】
このように構成されたカードコネクタ１にカード１００を挿入して使用する場合のカム機構部１８の作動状態について、図１１および図１２を参照して説明する。図１１は、カード１００をカードコネクタ１に挿入して使用状態に至るまでを示し、図１１（ａ）はカード１００を挿入してカード１００とロックばね片４０が仮係止した状態を、図１１（ｂ）はカード１００を最も奥まで押し込んだ状態を、図１１（ｃ）は押し込んだカード１００から指を離してカード１００が使用可能になった状態をそれぞれ示す平面図である。但し、シェル１０は省略してある。図１２は、使用状態にあるカードを再度指で押して取り出すまでの過程を示し、図１２（ａ）は、指で押した状態を、図１２（ｂ）はカード１００が押し出されて取出し可能な位置にある状態をそれぞれ示す平面図である。但し、シェル１０は省略してある。
【００２９】
最初に、カード１００の形状について、図１１（ａ）を参照して説明する。カード１００は、板状の略矩形形状を呈し、狭幅の前部１００ａと、前部１００ａより幅広の後部１００ｂとを有する。ここでカード１００の前後とはカード１００の挿入方向１０１に向く先端側を前といい、指で押す側を後という。カード１００の側面１０２のカム機構部１８側には、後部１００ｂに位置する切欠状のロック凹部１０４が形成されている。このロック凹部１０４は、カード１００の後端１０６を向く係止面１０４ａを有する。また側面１０２に、後部１００ｂと前部１００ａの過渡部として斜面１０８が形成されている。カード１００の前部１００ａの角部１１０は、スライダ２６の円弧状の当接面４６に当接するように当接面４６と相補形の円弧状に形成されている。カード１００は、このように左右非対称に形成されており、スライダ２６の形状もそのカード１００の形状に対応した形状になっているため、左右を逆にして挿入することができず、誤挿入を防止することができる。
【００３０】
このように構成されたカード１００を、図１１（ａ）に示すようにカードコネクタ１のカード挿入口１２（図１）に挿入すると、カード１００の前部１００ａがカード受容部５４内に挿入され、ロックばね片４０が斜面１０８に乗り上げて仮想線で示すように変形した後、ロック凹部１０４の位置で弾発的に復帰してロック突起４２がロック凹部１０４と係合する。このとき、スライダ２６はまだ移動しておらず、ロックばね片４０の係止突片５２は、シェル１０のスロット５６(図１（ａ）)に進入していない。この状態では、ロックばね片４０は、仮想線で示すように外側に撓むことが可能である。従って、カード１００を挿入方向１０１と反対方向に引っ張ると、ロックばね片４０が撓んで係合が解除され、カード１００を引き抜くことができる。即ち、図１１（ａ）に示す状態は、カード１００が仮係止の状態にあるといえる。そして、このときロッド２８の他端２８ｂは、カム溝３８の部分３８ａの最後部の位置５６ａにある(図１０（ａ）)。
【００３１】
次に、カード１００の後端１０６を指で押圧して、図１１（ｂ）に示すようにカード１００をカード受容部５４の最奥部までに押し込むと、スライダ２６がカード１００に押圧されて、圧縮コイルばね３６の弾発力に抗してカードコネクタ１の後部に移動する。このとき、ロックばね片４０とカム溝３８との位置関係は、図１１（ａ）に示す関係を維持したままである。他方、ロッド２８の他端２８ｂは、部分３８ａ、３８ｃを経て部分３８ｄの最前部の位置５６ｂ(図１０（ａ）)に移動する。
【００３２】
この状態から指１２０を離すと、図１１（ｃ）に示すように、スライダ２６は圧縮コイルばね３６の弾発力により挿入方向１０１と逆方向に押し戻される。そして、ロッド２８の他端２８ｂは、カム溝３８の壁５８により案内されて、矢印６０(図１０)で示すように移動し位置５６ｃで停止する。このとき、カード１００の図示しない電極が、コンタクト４の接触片４ａと接触して、カード１００とカードコネクタ１との間で電気的な接続がなされる。即ちカード１００が使用可能な状態となる。また、ロックばね片４０の係止突片５２はシェル１０のスロット５６内に位置するので、ロックばね片４０が左右方向に弾性変形することが阻止される。従って、カード１００とロックばね片４０の係合状態は確実に維持される。
【００３３】
次に、カード１００をカードコネクタ１から取り出す場合について、図１２を参照して説明する。図１２（ａ）で示すようにカード１００の後端１０６を再度、指１２０で押圧すると、ロッド２８の他端２８ｂは、壁６２(図１０)により案内されて部分３８ｈの位置５６ｄに移動する。そして、指１２０をカード１００から離すと、図１２（ｂ）で示すようにロッド２８の他端２８ｂは、位置５６ｄから部分３８ｈを移動し、部分３８ｉ、３８ｊを通過して部分３８ａに戻る。図１２（ｂ）ではこの戻る途中の状態を示している。ロッド２８の他端２８ｂの最終位置即ち位置５６ａでは、ロックばね片４０は、係止突片５２がスロット５６から抜け出て左右方向に撓み可能になるので、カード１００を引き抜くことができる。
【００３４】
ここで、重要なことは、図１２（ａ）、図１２（ｂ）に示すように、ロッド２８の他端２８ｂが、カード１００の挿入方向１０１と角度をなしている、カム溝３８の部分３８ｈの後端部および部分３８ｉに沿って移動する際、ロッド２８の長手方向の軸線はこれらの部分３８ｈ、３８ｉと比較的大きな角度をなして摺動するが、ロックばね片４０の板面が、ロッド２８の他端２８ｂを案内するので、他端２８ｂはカム溝３８から逸脱することがないという点である。さらに、ロッド２８とロックばね片４０が極めて接近して配置されているにもかかわらず、ロッド２８の移動が、ロックばね片４０によって阻害されることもない点である。従って、カム機構部１８を幅方向に狭く形成することができる。そして、さらに他の重要なことは、スライダ２６にカム溝３８とロックばね片４０が組み込まれており、しかもカード１００とスライダ２６とは略同じ平面内にある点である。これによって、ハウジング２の厚みを小さくして、カードコネクタ１を低背にすることができる。
【図面の簡単な説明】
【００３５】
【図１】本発明の一例となるカードコネクタを示し、（ａ）は平面図、（ｂ）は正面図をそれぞれ示す。
【図２】図１のカードコネクタを示し、（ａ）は背面図、（ｂ）は底面図をそれぞれ示す。
【図３】図１のカードコネクタを示し、（ａ）は右側面図、（ｂ）は左側面図をそれぞれ示す。
【図４】図１のカードコネクタからシェルを取り外した状態のハウジングの平面図である。
【図５】図１（ａ）の５−５線に沿うカードコネクタの部分断面図である。
【図６】図１のカードコネクタに使用されるスライダを示し、（ａ）は左側面図、（ｂ）は平面図、（ｃ）は右側面図をそれぞれ示す。
【図７】図６のスライダを示し、（ａ）は正面図、（ｂ）は背面図、（ｃ）は底面図をそれぞれ示す。
【図８】図６（ｂ）の８−８線に沿う部分断面図である。
【図９】カードコネクタに使用されるロックばね片を示し、（ａ）は平面図、（ｂ）は側面図をそれぞれ示す。
【図１０】スライダのカム溝を示し、(ａ)は平面図、（ｂ）はカム溝の断面の展開図をそれぞれ示す。
【図１１】カードを挿入して使用状態に至るまでを示し、（ａ）はカードコネクタにカードを挿入してカードとロックばね片が仮係止した状態を、（ｂ）はカードを最も奥まで押し込んだ状態を、（ｃ）は押し込んだカードから指を離してカードが使用可能になった状態をそれぞれ示す平面図である。但し、シェルは省略してある。
【図１２】使用状態にあるカードを再度指で押してカードコネクタから取り出すまでの過程を示し、（ａ）は、指で押した状態を、（ｂ）はカードが押し出されて取出し可能な位置にある状態をそれぞれ示す平面図である。但し、シェルは省略してある。
【符号の説明】
【００３６】
１    カードコネクタ
２    ハウジング
４    コンタクト
１０    シェル
１８    カム機構部
２６    スライダ
２８    ロッド(位置決め部材)
３８    カム溝
４０    ロックばね片
４０ａ    後部(固定端部)
４０ｂ    前部(自由端部)
４２    ロック突起
５２    係止突片
５６    スロット
１００    カード
【図１】
2006196285.tif 000003
【図２】
2006196285.tif 000004
【図３】
2006196285.tif 000005
【図４】
2006196285.tif 000006
【図５】
2006196285.tif 000007
【図６】
2006196285.tif 000008
【図７】
2006196285.tif 000009
【図８】
2006196285.tif 000010
【図９】
2006196285.tif 000011
【図１０】
2006196285.tif 000012
【図１１】
2006196285.tif 000013
【図１２】
2006196285.tif 000014